(57)【要約】【課題】ユーザ認証によるログイン処理を行った場合に使用可能な装置において、ログアウト処理のし忘れによる不正使用を防ぐ。【解決手段】画像データ処理装置１００は、ユーザのログイン処理を行うログイン処理部１０２と、ログインされた状態で、ユーザから指示されたジョブを実行するジョブ実行部１０４と、ジョブ実行部１０４によるジョブが、所定時間以上かかるロングジョブか否かを監視して検出するロングジョブ監視部１０６と、ユーザに自動ログアウト処理を行うことに対する承認を求める承認受付処理部１２２と、承認受付処理部１２２がユーザから承認を受け付けているとともにロングジョブ監視部１０６がジョブがロングジョブであることを検出した場合に、ジョブの実行中または当該ジョブの終了と同時に、自動的にユーザのログアウト処理を行う自動ログアウト処理部１１０とを含む。【選択図】図１
2008263397.tif 000002
【特許請求の範囲】
【請求項１】
画像データの読み取り、送受信、または印刷を行う画像データ処理装置であって、
ユーザからユーザ識別情報および認証情報を含むログイン情報を受け付け、当該ログイン情報を認証することにより前記ユーザのログイン処理を行うログイン処理部と、
ログインされた状態で、前記ユーザから指示されたジョブを実行するジョブ実行部と、
前記処理部による前記ジョブが、所定時間以上かかるロングジョブか否かを監視して検出するロングジョブ監視部と、
前記ユーザに、当該ユーザから指示された前記ジョブがロングジョブの場合には当該ジョブの実行中または当該ジョブの終了と同時に自動的に前記ユーザのログアウト処理を行うことに対する承認を求める承認受付処理部と、
前記承認受付処理部が前記ユーザから前記承認を受け付けており、かつ前記ロングジョブ監視部が前記ジョブがロングジョブであることを検出した場合に、前記ジョブの実行中または当該ジョブの終了と同時に、自動的に前記ユーザのログアウト処理を行う自動ログアウト処理部と、
を含む画像データ処理装置。
【請求項２】
請求項１に記載の画像データ処理装置において、
ロングジョブ監視部は、前記ジョブ実行部が指示を受け付けた前記ジョブの種類および内容と、当該装置の処理能力とに基づき、当該ジョブを終了するのに必要な時間を算出し、当該時間が前記所定時間以上かかる場合に当該ジョブがロングジョブであると検出する画像データ処理装置。
【請求項３】
請求項１に記載の画像データ処理装置において、
ロングジョブ監視部は、前記ジョブ実行部がジョブを開始してから、前記所定時間が経過した場合に、当該ジョブがロングジョブであると検出する画像データ処理装置。
【請求項４】
請求項１から３いずれかに記載の画像データ処理装置において、
前記ジョブの実行中に前記自動ログアウト処理部による自動ログアウト処理が行われた場合に、当該自動ログアウト処理が行われたことを示す付加情報を、前記ユーザの前記識別情報に対応付けて記憶するログイン状態記憶部と、
前記ジョブ実行部により実行される前記ジョブの中断の有無および再開指示を監視して検出する中断監視部と、
をさらに含み、
前記自動ログアウト処理部による自動ログアウト処理があった後、前記ジョブが終了する前に前記中断監視部が前記ジョブの中断を検出するとともに当該ジョブの再開指示があった場合、前記ログイン処理部が前記ログイン状態記憶部を参照して、前記付加情報が付されている場合に、当該ユーザの自動ログイン処理を行い、前記ジョブ実行部が前記ジョブを再開する画像データ処理装置。
【請求項５】
請求項１から３いずれかに記載の画像データ処理装置において、
前記ジョブの実行中に前記自動ログアウト処理部による自動ログアウト処理が行われた場合に、当該自動ログアウト処理が行われたことを示す付加情報を、前記ユーザの前記識別情報に対応付けて記憶するログイン状態記憶部と、
前記ジョブ実行部により実行される前記ジョブの中断の有無および再開指示を監視して検出する中断監視部と、
ユーザのユーザ識別情報に対応づけて、当該ユーザへの通知メッセージの送信先を記憶する通知情報記憶部と、
前記自動ログアウト処理部による自動ログアウト処理があった後、前記ジョブが終了する前に前記中断監視部が前記ジョブの中断を検出した場合、前記通知情報記憶部を参照して、該当するユーザの送信先に、前記ジョブの中断が生じたこと、および中断解除後に再度のログイン処理を行うことなく前記ジョブを再開するためには返信が必要であることを含む通知を送信するとともに、当該通知に対する返信を受信する通知部と、
をさらに含み、
前記通知部は、前記返信を受信すると、その旨を前記付加情報として前記ログイン状態記憶部に記憶し、
前記自動ログアウト処理部による自動ログアウト処理があった後、前記ジョブが終了する前に前記中断監視部が前記ジョブの中断を検出するとともに当該ジョブの再開指示があった場合、前記ログイン処理部が前記ログイン状態記憶部を参照して、前記付加情報に前記返信を受信したことが記憶されている場合に、当該ユーザの自動ログイン処理を行い、前記ジョブ実行部が前記ジョブを再開する画像データ処理装置。
【発明の詳細な説明】
【技術分野】
【０００１】
この発明は、画像データの読み取り、送受信、または印刷をジョブとして行う画像データ処理装置に関する。
【背景技術】
【０００２】
ファクシミリ装置、コピー機、スキャナ等の画像データ処理装置の不正使用を防ぐために、使用時にユーザ認証を行い、認証された場合にのみ使用可能とする技術が開発されている。特許文献１（特開２００６−１５３９８１号公報）には、コピー機においてユーザ識別情報を入力し、ユーザ識別情報によりログイン処理を実行し、印刷処理によって画像を記録した記録紙の無線タグに、ユーザ識別情報に対応するデータを書き込み、記録紙の無線タグと通信可能か否かを判定し、記録紙の無線タグと通信不能と判定した場合、ログアウト処理を実行する技術が記載されている。これにより、ユーザが排紙トレイから記録紙をとり通信可能範囲から出ると、ログアウト処理が行われ、コピー不可能とすることができる。
【特許文献１】特開２００６−１５３９８１号公報
【発明の開示】
【発明が解決しようとする課題】
【０００３】
しかし、大量のデータのコピー、プリントアウト、スキャン等を行う場合、時間がかかるので、処理の途中でユーザが装置のそばから離れてしまい、ログアウトするのを忘れたまま放置してしまうおそれがある。
【０００４】
本発明はこうした点に鑑みてなされたもので、その目的は、ユーザ認証によるログイン処理を行った場合に使用可能な装置において、ログアウト処理のし忘れによる不正使用を防ぐ技術の提供にある。
【課題を解決するための手段】
【０００５】
本発明によれば、
画像データの読み取り、送受信、または印刷を行う画像データ処理装置であって、
ユーザからユーザ識別情報および認証情報を含むログイン情報を受け付け、当該ログイン情報を認証することにより前記ユーザのログイン処理を行うログイン処理部と、
ログインされた状態で、前記ユーザから指示されたジョブを実行するジョブ実行部と、
前記処理部による前記ジョブが、所定時間以上かかるロングジョブか否かを監視して検出するロングジョブ監視部と、
前記ユーザに、当該ユーザから指示された前記ジョブがロングジョブの場合には当該ジョブの実行中または当該ジョブの終了と同時に自動的に前記ユーザのログアウト処理を行うことに対する承認を求める承認受付処理部と、
前記承認受付処理部が前記ユーザから前記承認を受け付けており、かつ前記ロングジョブ監視部が前記ジョブがロングジョブであることを検出した場合に、前記ジョブの実行中または当該ジョブの終了と同時に、自動的に前記ユーザのログアウト処理を行う自動ログアウト処理部と、
を含む画像データ処理装置が提供される。
【０００６】
本発明において、画像データ処理装置は、ロングジョブの場合は、ジョブ毎にログアウトが行われるようにしている。これにより、画像データ処理装置おいてロングジョブを実行させる場合に、ユーザが装置の近くにいないとしても、他のユーザが不正使用を行うのを防ぐことができる。また、このような自動ログアウトは、ユーザが承認した場合にのみ行われるので、ロングジョブであっても、ユーザが装置の側を離れないような場合や、セキュリティを確保できるような場合は、自動ログアウト処理が行われないようにすることができる。これにより、ユーザが続けて他のジョブを行えるようにすることができる。
【０００７】
本発明の画像データ処理装置において、ロングジョブ監視部は、前記ジョブ実行部が指示を受け付けた前記ジョブの種類および内容と、当該装置の処理能力とに基づき、当該ジョブを終了するのに必要な時間を算出し、当該時間が前記所定時間以上かかる場合に当該ジョブがロングジョブであると検出することができる。
【０００８】
本発明の画像データ処理装置において、ロングジョブ監視部は、前記ジョブ実行部がジョブを開始してから、前記所定時間が経過した場合に、当該ジョブがロングジョブであると検出することができる。
【０００９】
本発明の画像データ処理装置は、前記ジョブの実行中に前記自動ログアウト処理部による自動ログアウト処理が行われた場合に、当該自動ログアウト処理が行われたことを示す付加情報を、前記ユーザの前記識別情報に対応付けて記憶するログイン状態記憶部と、前記ジョブ実行部により実行される前記ジョブの中断の有無および再開指示を監視して検出する中断監視部と、をさらに含むことができ、前記自動ログアウト処理部による自動ログアウト処理があった後、前記ジョブが終了する前に前記中断監視部が前記ジョブの中断を検出するとともに当該ジョブの再開指示があった場合、前記ログイン処理部が前記ログイン状態記憶部を参照して、前記付加情報が付されている場合に、当該ユーザの自動ログイン処理を行い、前記ジョブ実行部が前記ジョブを再開することができる。
【００１０】
このようにすれば、自動ログアウト後に中断が生じた場合でも、自動ログイン処理を行うようにしているので、セキュリティを高めつつ、ユーザの利便性をはかることができる。
【００１１】
本発明の画像データ処理装置は、前記ジョブの実行中に前記自動ログアウト処理部による自動ログアウト処理が行われた場合に、当該自動ログアウト処理が行われたことを示す付加情報を、前記ユーザの前記識別情報に対応付けて記憶するログイン状態記憶部と、前記ジョブ実行部により実行される前記ジョブの中断の有無および再開指示を監視して検出する中断監視部と、ユーザのユーザ識別情報に対応づけて、当該ユーザへの通知メッセージの送信先を記憶する通知情報記憶部と、前記自動ログアウト処理部による自動ログアウト処理があった後、前記ジョブが終了する前に前記中断監視部が前記ジョブの中断を検出した場合、前記通知情報記憶部を参照して、該当するユーザの送信先に、前記ジョブの中断が生じたこと、および中断解除後に再度のログイン処理を行うことなく前記ジョブを再開するためには返信が必要であることを含む通知を送信するとともに、当該通知に対する返信を受信する通知部と、をさらに含むことができる。ここで、前記通知部は、前記返信を受信すると、その旨を前記付加情報として前記ログイン状態記憶部に記憶することができ、前記自動ログアウト処理部による自動ログアウト処理があった後、前記ジョブが終了する前に前記中断監視部が前記ジョブの中断を検出するとともに当該ジョブの再開指示があった場合、前記ログイン処理部が前記ログイン状態記憶部を参照して、前記付加情報に前記返信を受信したことが記憶されている場合に、当該ユーザの自動ログイン処理を行い、前記ジョブ実行部が前記ジョブを再開することができる。
【００１２】
このようにすれば、自動ログアウト後に中断が生じた場合でも、自動ログイン処理を行うようにしているので、セキュリティを高めつつ、ユーザの利便性をはかることができる。
【００１３】
なお、以上の構成要素の任意の組合せ、本発明の表現を方法、装置、システム、記録媒体、コンピュータプログラムなどの間で変換したものもまた、本発明の態様として有効である。
【発明の効果】
【００１４】
本発明によれば、ユーザ認証によるログイン処理を行った場合に使用可能な装置において、ログアウト処理のし忘れによる不正使用を防ぐことができる。
【発明を実施するための最良の形態】
【００１５】
以下、本発明の実施の形態について、図面を用いて説明する。尚、すべての図面において、同様な構成要素には同様の符号を付し、適宜説明を省略する。
【００１６】
（第１の実施の形態）
図１は、本実施の形態における画像データ処理装置１００の構成を示すブロック図である。画像データ処理装置１００は、たとえば、スキャナ機能、ファクシミリ送受信機能、およびプリンタ機能等を有するネットワークファクシミリ装置やＭＦＰ（Multi Functional Peripheral）等とすることができる。画像データ処理装置１００は、画像データの読み取り、送受信、または印刷等をジョブとして行う。
【００１７】
画像データ処理装置１００は、ログイン処理部１０２、ジョブ実行部１０４、ロングジョブ監視部１０６、自動ログアウト処理部１１０、ログイン状態記憶部１１２、ジョブ記憶部１１４、設定記憶部１１６、認証情報記憶部１１８、および承認受付処理部１２２を含む。
【００１８】
認証情報記憶部１１８は、予め設定され、画像データ処理装置１００の使用が許可されたユーザを認証するための情報を記憶する。ログイン処理部１０２は、ユーザからユーザ識別情報および認証情報を含むログイン情報の入力を受け付け、入力されたユーザ識別情報および認証情報に基づき、認証情報記憶部１１８を参照して、当該ログイン情報を認証することによりユーザのログイン処理を行う。ここで、認証情報は、たとえばパスワード等とすることができる。ログイン処理部１０２は、ログインしたユーザのユーザ識別情報やログイン処理が行われた時間等をログイン状態記憶部１１２に記憶する。
【００１９】
承認受付処理部１２２は、ユーザに、当該ユーザから指示されたジョブがロングジョブの場合に当該ジョブの実行中または当該ジョブの終了と同時に自動的にユーザのログアウト処理を行うことに対する承認を求める。承認受付処理部１２２は、あるユーザのログイン処理が行われると、たとえば画像データ処理装置１００のディスプレイ等に「ロングジョブの場合、自動ログアウト処理を行います。よろしいですか？よい場合は○○ボタンを押して下さい。」等のメッセージを表示することができる。これに対し、ユーザが指定された画像データ処理装置１００の操作ボタン等を押した場合、ユーザからの承認を受け付けたとして、その旨をログイン状態記憶部１１２に記憶する。
【００２０】
図５（ａ）は、ユーザ識別情報「ａｂｃ」のユーザが９：００にログインした状態である場合のログイン状態記憶部１１２の内部構成を示す。ここで、承認受付処理部１２２がユーザからの承認を得ている場合、「レ」とともに承認を得た時間が記憶される。
【００２１】
ジョブ実行部１０４は、ユーザからジョブの実行指示があると、ログイン状態記憶部１１２を参照してユーザによりログインされた状態か否かを判断し、ログインされた状態の場合、ユーザから指示されたジョブを実行する。ここで、ジョブとは、たとえば、画像データの読み取り、送受信、または印刷等である。ジョブ実行部１０４は、ユーザから指示されたジョブの進行状態を、少なくとも当該ジョブが終了するまでの間、ジョブ記憶部１１４に記憶する。
【００２２】
ロングジョブ監視部１０６は、ジョブ実行部１０４によるジョブが、ロングジョブか否かを監視して検出する。ここで、単一のジョブの所要時間が所定時間以上かかるものをロングジョブという。設定記憶部１１６は、画像データ処理装置１００において、ロングジョブ自動ログアウトを行うか否かの設定や、ロングジョブか否かの検出を行う際の基準となる時間等の設定を記憶する。
【００２３】
ロングジョブ監視部１０６は、たとえばジョブ実行部１０４が指示を受け付けたジョブの種類および内容に基づき、そのジョブがロングジョブか否かを検出することができる。たとえば、画像データ処理装置１００がコピーを行う処理速度が２０ｐｐｍ（プリントパーミニッツ）で、６０枚の原稿のコピー指示があった場合、処理時間が３分となることがわかる。設定記憶部１１６に、３分以上の処理時間がかかるジョブがロングジョブであると検出するよう設定されている場合、ロングジョブ監視部１０６は、このジョブがロングジョブであると検出する。この設定は、画像データ処理装置１００の管理者やユーザ等が適宜設定しておくことができる。
【００２４】
原稿の枚数は、たとえばＡＤＦ原稿トレイに重量検出手段等の原稿枚数検出手段を設けておくことにより検出することができる。また、原稿にＲＦＩＤ等のタグが付されている場合、タグを読み取る手段を設けておくことにより、原稿の枚数を検出するようにすることもできる。他の例として、ロングジョブ監視部１０６は、ジョブ実行部１０４がジョブの実行を開始してから、所定時間が経過するか否かを監視し、所定時間が経過したら、そのジョブがロングジョブであると検出するようにすることもできる。
【００２５】
自動ログアウト処理部１１０は、承認受付処理部１２２がユーザから自動ログアウトの承認を受け付けているとともにロングジョブ監視部１０６がジョブがロングジョブであることを検出した場合に、当該ジョブの実行中または当該ジョブの終了と同時に、自動的にユーザのログアウト処理を行う。自動ログアウト処理部１１０は、ログイン状態記憶部１１２を参照して、承認が得られているか否かを確認し、承認が得られている場合に、自動ログアウト処理を行う。設定記憶部１１６は、自動ログアウト処理部１１０によりログアウト処理がどの時点で行われるかの設定も記憶することができる。自動ログアウト処理部１１０は、ログイン状態記憶部１１２に記憶されたログインされた状態であることを示す情報を消去したり、またはログイン状態記憶部１１２にログアウトしたことを示す情報等を付加する等の処理を行う。このような状態となった後に、新たなジョブの指示があった場合、ジョブ実行部１０４は、ログイン状態記憶部１１２を参照して、ログインされた状態でないと判断し、新たなログイン処理が行われるまでジョブを実行しない。
【００２６】
図２は、本実施の形態における画像データ処理装置１００の処理手順を示すフローチャートである。
操作部（不図示）を介してユーザからたとえばジョブの実行指示があると（Ｓ１００のＹＥＳ）、ジョブ実行部１０４は、ログイン状態記憶部１１２を参照して、ログインされた状態か否かを判断する（Ｓ１０２）。ログインされた状態でない場合（Ｓ１０２のＮＯ）、ログイン処理部１０２は、ユーザにユーザ識別情報および認証情報を含むログイン情報の入力を促し、認証情報記憶部１１８を参照して認証処理を行う。認証されると（Ｓ１０４のＹＥＳ）、ログイン処理部１０２は、ログイン処理を行う（Ｓ１０６）。一方、ステップＳ１０４でユーザが認証できない場合（Ｓ１０４のＮＯ）、ログイン処理部１０２は、エラー通知等を行う。
【００２７】
ステップＳ１０６の後、承認受付処理部１２２は、ユーザにユーザからのジョブがロングジョブの場合に自動ログアウト処理を行うことに対する承認を求める（Ｓ１０７）。承認受付処理部１２２は、たとえば画像データ処理装置１００のディスプレイ等に「ロングジョブの場合、自動ログアウト処理を行います。よろしいですか？よい場合は○○ボタンを押して下さい。」等のメッセージを表示する。ユーザからの承認が得られた場合、承認受付処理部１２２は、その旨をログイン状態記憶部１１２に記憶する。また、承認受付処理部１２２は、たとえば「ロングジョブの場合、自動ログアウト処理を行います。よろしいですか？」というメッセージとともに、「はい」または「いいえ」を選択させるようにしてもよい。この場合、ユーザが「はい」を選択した場合、承認が得られたと検出し、ユーザが「いいえ」を選択した場合、承認が得られていないとしてその旨をログイン状態記憶部１１２に記憶することができる。画像データ処理装置１００は、ユーザが「いいえ」を選択した場合、「自動ログアウト処理を行いません。装置のそばから離れないで下さい。」等の警告をディスプレイ等に表示するようにすることができる。また、所定時間たってもユーザからの承認が得られない場合、この処理を終了する。この場合も、同様の警告のメッセージを表示するようにしてもよい。
【００２８】
ステップＳ１０２で既にログインされた状態の場合（Ｓ１０２のＹＥＳ）、またはステップＳ１０６でログイン処理が行われた場合、ジョブ実行部１０４は、ステップＳ１０７の処理を経てジョブの実行を開始する（Ｓ１０８のＹＥＳ）。ステップＳ１００の操作がジョブの実行指示でなかった場合は、ジョブ実行部１０４は、ステップＳ１０８においてジョブの実行指示があるまで待機し、ジョブの実行指示があると、ジョブを開始する（Ｓ１０８のＹＥＳ）。次いで、ロングジョブ監視部１０６は、設定記憶部１１６を参照して、ロングジョブ自動ログアウト設定がオンとなっているか否かを判断する（Ｓ１１０）。
【００２９】
ロングジョブ自動ログアウト設定がオンの場合（Ｓ１１０のＹＥＳ）、ロングジョブ監視部１０６は、ログイン状態記憶部１１２を参照して、ユーザからの承認が得られているか否かを検出する（Ｓ１１２）。ユーザからの承認が得られている場合（Ｓ１１２のＹＥＳ）、ロングジョブ監視部１０６は、設定記憶部１１６を参照して、ジョブ実行部１０４が実行しているジョブがロングジョブか否かを検出する（Ｓ１１４）。ロングジョブ監視部１０６により、ジョブ実行部１０４が実行しているジョブがロングジョブであると検出された場合（Ｓ１１４のＹＥＳ）、自動ログアウト処理部１１０は、設定記憶部１１６を参照して、ジョブ実行中またはジョブ終了と同時に自動ログアウトを行う（Ｓ１１６）。
【００３０】
ステップＳ１１０において、ロングジョブ自動ログアウト設定がオンとなっていない場合（Ｓ１１０のＮＯ）、ユーザからの自動ログアウトに対する承認が得られていない場合（Ｓ１１２のＮＯ）、またはロングジョブでない場合（Ｓ１１４のＮＯ）、通常の処理が行われる（Ｓ１１８）。ここで、通常の処理とは、たとえばユーザの指示に基づきログアウトすることである。また、画像データ処理装置１００において、ジョブ終了後、所定時間が経過してもログアウトがされない場合に自動ログアウトをする設定となっている場合、その設定に従い処理が行われる。
【００３１】
以上のようにすれば、画像データ処理装置１００において、ロングジョブが行われる場合は、ユーザがログアウト処理を行わなくても、ジョブの実行中、または遅くともジョブ終了と同時に自動ログアウト処理を行うようにすることができる。これにより、画像データ処理装置１００においてロングジョブを実行させる場合に、ユーザが装置の近くにいないとしても、他のユーザが不正使用を行うのを防ぐことができる。
【００３２】
（第２の実施の形態）
本実施の形態において、画像データ処理装置１００は、図１に示した構成に加えて、さらに中断監視部１０８、通知部１２０および通知情報記憶部１２４を有する。
【００３３】
たとえば、ジョブ実行部１０４がジョブを実行中に、ジャムエラー等によりジョブが途中で中断されることがある。このような場合、ジョブ実行部１０４は、エラーの原因が取り除かれ、再度操作部（不図示）を介したユーザからの再開指示があった場合に、ジョブの実行を再開する。しかし、第１の実施の形態において説明したように、ジョブ実行部１０４が実行するジョブがロングジョブであると検出され、ジョブの実行中に自動ログアウト処理が行われた場合、自動ログアウト後に、再開の指示があると、再度ログイン処理を行わなければならなくなってしまう。本実施の形態においては、このような場合に、再度ユーザがログインのためのログイン情報の入力を行う必要がないようにする。
【００３４】
本実施の形態において、ロングジョブ監視部１０６が、ジョブがロングジョブであることを検出し、さらに設定記憶部１１６にジョブの実行中に自動ログアウトをすることが設定されている場合、自動ログアウト処理部１１０は、自動ログアウト処理時に、ログイン状態記憶部１１２に記憶されたログインされた状態を示す情報を完全に消去するのではなく、ユーザ識別情報およびジョブの実行中に自動ログアウト処理を行ったことを示す付加情報等をログイン状態記憶部１１２に記憶しておく。
【００３５】
中断監視部１０８は、ジョブ実行部１０４により実行されるジョブの中断の有無を監視して検出する。通知情報記憶部１２４は、ユーザのユーザ識別情報に対応づけて、当該ユーザへの通知メッセージの送信先を記憶する。通知部１２０は、ジョブ実行部１０４によるジョブの実行中に自動ログアウト処理部１１０による自動ログアウト処理が行われ、ジョブが終了する前に中断監視部１０８によりジョブの中断が検出されると、通知部１２０を参照して、ユーザの送信先に通知を行う。このとき、通知部１２０は、その通知に、中断解除後にユーザによるログイン処理を行うことなくジョブを再開させたい場合、当該通知に対して返信するよう促すメッセージを含めておく。通知部１２０は、ＬＡＮ等のネットワーク１５０を介してユーザに通知を送信し、ユーザから返信を受信する。中断監視部１０８による中断の検出、通知部１２０による通知の送信およびその返信の受信等もログイン状態記憶部１１２に記憶される。
【００３６】
図５（ｂ）は、ユーザ識別情報「ａｂｃ」のユーザが９：１０に自動ログアウトされ、９：１１にジョブが中断された状態である場合のログイン状態記憶部１１２の内部構成を示す。この場合、ログイン状態記憶部１１２は、通知欄と返信欄もさらに含む。ここでは、通知部１２０が９：１２にユーザに通知を送信し、９：１４にユーザから返信があった場合の例を示す。
【００３７】
中断の原因が解除され、ジョブの再開指示があり、さらにユーザから通知への返信があった場合には、ログイン処理部１０２は、自動ログイン処理を行う。中断監視部１０８は、中断の原因の解除の有無、およびジョブの再開の指示の有無等も監視して検出することができる。具体的には、中断の原因が解除され、ジョブの再開指示があると、中断監視部１０８は、ジョブ実行部１０４にジョブの再開指示を行う。ジョブ実行部１０４は、ログイン状態記憶部１１２を参照して、返信欄に、返信があったことが記憶されている場合、ログイン処理部１０２に自動ログイン処理を指示する。これに基づき、ログイン処理部１０２は、ログイン状態記憶部１１２に、ログインされた状態であることを示す情報を記憶する。この後、ジョブ実行部１０４は、ジョブの実行を再開する。
【００３８】
図４は、本実施の形態における画像データ処理装置１００の処理手順を示すフローチャートである。ステップＳ１００〜ステップＳ１１４までの処理は第１の実施の形態と同様であるので、説明を省略する。
【００３９】
ステップＳ１１４においてロングジョブであると検出された場合（Ｓ１１４のＹＥＳ）、自動ログアウト処理部１１０は、設定記憶部１１６を参照して、ジョブ実行中に自動ログアウトする設定か否かを検出する（Ｓ１２０）。ジョブ実行中に自動ログアウトする設定の場合（Ｓ１２０のＹＥＳ）、自動ログアウト処理部１１０は、自動ログアウト処理時に、ログイン状態記憶部１１２に、ユーザ識別情報およびジョブの実行中に自動ログアウト処理を行ったことを示す付加情報等を記憶しておく（Ｓ１２２）。
【００４０】
この後、中断監視部１０８は、ジョブ実行部１０４によるジョブの中断の有無を監視して検出する（Ｓ１２４）。中断監視部１０８がジョブの中断を検出すると（Ｓ１２４のＹＥＳ）、自動ログアウト処理部１１０の指示に基づき、通知部１２０は、通知情報記憶部１２４およびログイン状態記憶部１１２を参照して、自動ログアウト処理がされたユーザの送信先に、ジョブが中断したことおよび中断解除後にユーザによるログイン処理を行うことなくジョブを再開させたい場合、当該通知に対して返信するよう促すメッセージを含めた通知を送信する（Ｓ１２８）。当該通知に対してユーザから返信があった場合、通知部１２０は、その旨をログイン状態記憶部１１２に記憶しておく。この後、中断原因のエラー等が解除されて再開指示があると（Ｓ１３０のＹＥＳ）、ジョブ実行部１０４は、ログイン状態記憶部１１２を参照して、返信欄に、返信があったことが記憶されている場合（Ｓ１３２のＹＥＳ）、ログイン処理部１０２に自動ログイン処理を指示する。これに基づき、ログイン処理部１０２は、ログイン状態記憶部１１２に、ログインされた状態であることを示す情報を記憶する（Ｓ１３４）。この後、ステップＳ１０８に戻り、ジョブ実行部１０４は、ジョブ記憶部１１４を参照して、ジョブの実行を再開する。一方、ステップＳ１３２において、返信欄に、返信があったことが記憶されていない場合（Ｓ１３２のＮＯ）、ジョブ実行部１０４は、ログイン処理部１０２に通常のログイン処理を行うことを指示する。この場合、ステップＳ１０４に戻り、ログイン処理部１０２による通常のログイン処理が行われる。
【００４１】
本実施の形態においても、第１の実施の形態と同様のメリットが得られる。さらに、画像データ処理装置１００の不正使用を防ぐためには、ジョブ実行中でも、自動ログアウトすることが好ましい。しかし、ジョブ実行中に自動ログアウトするようにすると、中断したときに再度ログイン処理を行う必要が生じ、手間となる。本実施の形態においては、自動ログアウト後に中断が生じた場合でも、自動ログイン処理を行うようにしているので、セキュリティを高めつつ、ユーザの利便性をはかることができる。
【００４２】
第１の実施の形態および第２の実施の形態において、画像データ処理装置１００の各構成要素は、任意のコンピュータのＣＰＵ、メモリ、メモリにロードされた本図の構成要素を実現するプログラム、そのプログラムを格納するハードディスクなどの記憶ユニット、ネットワーク接続用インターフェースを中心にハードウエアとソフトウエアの任意の組合せによって実現される。そして、その実現方法、装置にはいろいろな変形例があることは、当業者には理解されるところである。実施の形態で説明する各図は、ハードウエア単位の構成ではなく、機能単位のブロックを示している。なお、図１および図３において、本発明の本質に関わらない部分の構成については省略してある。
【００４３】
以上、本発明を実施の形態をもとに説明した。実施の形態は例示であり、それらの各構成要素や各処理プロセスの組合せにいろいろな変形例が可能なこと、またそうした変形例も本発明の範囲にあることは当業者に理解されるところである。
【図面の簡単な説明】
【００４４】
【図１】実施の形態における画像データ処理装置の構成を示すブロック図である。
【図２】図１に示した画像データ処理装置の処理手順の一例を示すフローチャートである。
【図３】実施の形態における画像データ処理装置の構成の他の例を示すブロック図である。
【図４】図３に示した画像データ処理装置の処理手順の一例を示すフローチャートである。
【図５】ログイン状態記憶部の内部構成の例を示す図である。
【符号の説明】
【００４５】
１００    画像データ処理装置
１０２    ログイン処理部
１０４    ジョブ実行部
１０６    ロングジョブ監視部
１０８    中断監視部
１１０    自動ログアウト処理部
１１２    ログイン状態記憶部
１１４    ジョブ記憶部
１１６    設定記憶部
１１８    認証情報記憶部
１２０    通知部
１２４    通知情報記憶部
１５０    ネットワーク
【図１】
2008263397.tif 000003
【図２】
2008263397.tif 000004
【図３】
2008263397.tif 000005
【図４】
2008263397.tif 000006
【図５】
2008263397.tif 000007